(57)【特許請求の範囲】
【請求項１】
底部に重なるように倒されている長側壁を底部に対して垂直に立て、次いで、底部に重なるように倒されている短側壁を底部に対して垂直に立てることにより、箱型のコンテナーに組み立てられる折り畳みコンテナーにおいて、ヒンジ部材を介して連結された上部短側壁部と下部短側壁部とから構成されているとともに、前記上部短側壁部の上部両端部付近には係止雄部が形成されており、また、前記下部短側壁部の上部両端部付近には、係合雌部としてのスリットが形成されており、更に、前記下部短側壁部の下部両端部付近には、前記係止雄部が係止可能な係止雌部が形成されている前記短側壁と、内壁面に対して垂直な垂直片と該垂直片の先端から、前記内壁面と略平行に延在する係合片とからなる係合雄部が、前記内壁面の両端部付近に形成されている前記長側壁とからなり、折り畳みコンテナーが箱型に組み立てられた際には、前記下部短側壁部の係合雌部としてのスリットに、前記長側壁の係合雄部の係合片が挿入されているとともに、前記長側壁の係合雄部の垂直片が、前記下部短側壁部と前記ヒンジ部材を中心に前記下部短側壁部方向に回動された前記上部短側壁部とにより挟持されており、且つ、前記上部短側壁部の係止雄部が、前記下部短側壁部の係止雌部に係止されるように構成されていることを特徴とする折り畳みコンテナー。
【請求項２】
折り畳みコンテナーが折り畳まれた際には、前記ヒンジ部材を介して連結された上部短側壁部と下部短側壁部とが、重なった状態ではなく、展開された状態で、前記底部に重ねられるように構成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，図９〜図１１に示されているように、長方形の底部１の相対する長辺側１ａに、適当なヒンジ結合により連結された長側壁２と、同じく上記底部１の相対する短辺側１ｂに、適当なヒンジ結合により連結された短側壁３とからなる折り畳みコンテナーが知られており、折り畳み状態においては、底部１の上に短側壁３が重なるように折り畳まれ、更にその上に、長側壁２が折り畳まれており、そして、折り畳まれた状態の長側壁２を、底部１に対して垂直に立て、次いで、折り畳まれた状態の短側壁３を、底部１に対して垂直に立てることにより、箱型のコンテナーに組み立てるように構成されている。そして、長側壁２の垂直端部に形成された係止凹部２ａに、短側壁３の垂直端部に形成された係止片３ａを係止させることにより、組み立てられた状態の折り畳みコンテナーの長側壁２及び短側壁３が、簡単には倒れないように構成されている。
【０００３】
【発明が解決しようとする課題】
上述した従来の折り畳みコンテナーにおいては、図１１に示されているように、折り畳んだ状態の高さが高いために、折り畳んだ状態の折り畳みコンテナーの収納効率が悪く、収納スペースが大きくなるという問題があった。
【０００４】
また、組み立てられた状態の折り畳みコンテナーの長側壁２及び短側壁３が、簡単には倒れないように、係止凹部２ａと係止片３ａとからなる係止部材の係止状態が強いために、係止作業及び係止状態の解除作業に時間がかかり、従って、折り畳みコンテナーの組み立て作業及び折り畳み作業の作業性が悪いという問題があった。
【０００５】
本発明の目的は、上述した従来の折り畳みコンテナーが有する課題を解決することにある。
【０００６】
【課題を解決するための手段】
本発明は、上述した目的を達成するために、底部に重なるように倒されている長側壁を底部に対して垂直に立て、次いで、底部に重なるように倒されている短側壁を底部に対して垂直に立てることにより、箱型のコンテナーに組み立てられる折り畳みコンテナーにおいて、第１には、ヒンジ部材を介して連結された上部短側壁部と下部短側壁部とから構成されているとともに、前記上部短側壁部の上部両端部付近には係止雄部が形成されており、また、前記下部短側壁部の上部両端部付近には、係合雌部としてのスリットが形成されており、更に、前記下部短側壁部の下部両端部付近には、前記係止雄部が係止可能な係止雌部が形成されている前記短側壁と、内壁面に対して垂直な垂直片と該垂直片の先端から、前記内壁面と略平行に延在する係合片とからなる係合雄部が、前記内壁面の両端部付近に形成されている前記長側壁とからなり、折り畳みコンテナーが箱型に組み立てられた際には、前記下部短側壁部の係合雌部としてのスリットに、前記長側壁の係合雄部の係合片が挿入されているとともに、前記長側壁の係合雄部の垂直片が、前記下部短側壁部と前記ヒンジ部材を中心に前記下部短側壁部方向に回動された前記上部短側壁部とにより挟持されており、且つ、前記上部短側壁部の係止雄部が、前記下部短側壁部の係止雌部に係止されるように構成したものであり、第２には、折り畳みコンテナーが折り畳まれた際には、前記ヒンジ部材を介して連結された上部短側壁部と下部短側壁部とが、重なった状態ではなく、展開された状態で、前記底部に重ねられるように構成したものである。
【０００７】
【実施例】
以下に、本発明の実施例について説明するが、本発明の趣旨を越えない限り何ら、本実施例に限定されるものでない。
【０００８】
１０は、平面形状が長方形状で、浅い箱型容器状に形成された底部であり、底部１０の長辺側部１０ａには、長側壁２０が、公知の適当なヒンジ部材によりヒンジ結合されており、また、底部１０の短辺側部１０ｂには、短側壁３０が、同じく公知の適当なヒンジ部材によりヒンジ結合されている。また、短辺側部１０ｂの上端は、底部１０の上に短側壁３０が重なるように、短側壁３０を略水平状に倒した際に、短側壁３０の上面と略同じになるように構成されており、また、長辺側部１０ａの上端は、底部１０の上に短側壁３０が重なるように倒し、更に、短側壁３０の上に重なるように、長側壁２０を略水平状に倒した際に、長側壁２０の上面と略同じになるように構成されている。
【０００９】
本発明においては、短側壁３０は、上下方向に分割された上部短側壁部３０ａと下部短側壁部３０ｂとから構成されており、上部短側壁部３０ａと下部短側壁部３０ｂとは適当なヒンジ部材３０ｃにより連結されている。本実施例においては、短側壁３０が、合成樹脂で一体成形された例が示されており、上部短側壁部３０ａと下部短側壁部３０ｂとは、ヒンジ部材３０ｃとして機能する薄肉部により連結されている。また、底部１０の短辺側部１０ｂには、短側壁３０を構成する上部短側壁部３０ａと下部短側壁部３０ｂのうち、下部短側壁部３０ｂが、公知の適当なヒンジ部材によりヒンジ結合されている。そして、折り畳みコンテナーを折り畳む際に、底部１０の上に短側壁３０が重なるように、短側壁３０を略水平状に倒す場合には、上部短側壁部３０ａと下部短側壁部３０ｂとは、ヒンジ部材３０ｃとして機能する薄肉部を介して、図３及び図４に示されているように、並設された状態、換言すれば、上部短側壁部３０ａと下部短側壁部３０ｂとが重なった状態ではなく、展開された状態で、底部１０の上に重ねられるように構成されている。
【００１０】
２１は、相対する長側壁２０の内壁面２０ａの両端部付近に形成された係合雄部であり、係合雄部２１は、内壁面２０ａに対して垂直方向に延在する垂直片２１ａと、垂直片２１ａの先端から内壁面２０ａと略平行に、長側壁２０の中央部方向に延在する係合片２１ｂとからなり、組み立てられた状態の長側壁２０を平面から見た場合に、略Ｌ状に形成されている。
【００１１】
３１は、上述した長側壁２０の内壁面２０ａの両端部付近に形成された係合雄部２１の係合片２１ｂが、挿入可能な、短側壁３０を構成する下部短側壁部３０ｂの両端部付近の上部に形成された係合雌部であり、本実施例においては、スリットとして構成されている。
【００１２】
３２は、短側壁３０を構成する上部短側壁部３０ａの両端部付近の上部（ヒンジ部材３０ｃに対して反対側に位置する上部短側壁部３０ａの上端部）で、且つ、上部短側壁部３０ａの外壁面３０ａ’（展開された状態で、底部１０の上に重ねられた際に、上方に位置する面）に形成された係止雄部であり、係止雄部３２は、外壁面３０ａ’に対して垂直な垂直部３２ａと垂直部３２ａの先端から上方（ヒンジ部材３０ｃ方向）に延在する係止突起３２ｂとから構成されている。
【００１３】
３３は、短側壁３０を構成する下部短側壁部３０ｂの両端部付近で、且つ、ヒンジ部材３０ｃから遠い方に位置する下部に穿設された係止雌部であり、本実施例においては、短側壁３０を構成する上部短側壁部３０ａに形成された係止雄部３２が挿入されるスリットとして形成されている。また、係止雌部３３が位置する下部短側壁部３０ｂの内壁面３０ｂ’付近には、凹部３０ｂ１が形成されている。
【００１４】
折り畳みコンテナーが、図４に示されているように、折り畳まれた状態においては、底部１０の上に、上述したように、展開された状態の短側壁３０を構成する上部短側壁部３０ａと下部短側壁部３０ｂとが、共に、底部１０に重なるように載置されており、更に、短側壁３０を構成する上部短側壁部３０ａと下部短側壁部３０ｂの上に、長側壁２０が重ねられている。
【００１５】
上述したように、折り畳みコンテナーが折り畳まれた状態から、折り畳みコンテナーを組み立てるには、先ず最初に、図３及び図５に示されているように、上述した従来の折り畳みコンテナーと同様に、長側壁２０を、底部１０に対して、略垂直に立てる。次いで、展開された状態の短側壁３０を構成する上部短側壁部３０ａと下部短側壁部３０ｂを、底部１０と下部短側壁部３０ｂとをヒンジ結合している公知のヒンジ部材を中心に、底部１０から離れる方向に回動させる。そして、図２及び図６に示されているように、短側壁３０を構成する下部短側壁部３０ｂに形成された係合雌部３１としてのスリットに、長側壁２０の内壁面２０ａに形成された係合雄部２１の係合片２１ｂを挿入する。その後、上部短側壁部３０ａを、ヒンジ部材３０ｃとして機能する薄肉部を中心に外側に回動させて、下部短側壁部３０ｂに重ねるとともに、上部短側壁部３０ａに形成されている係止雄部３２の係止突起３２ｂを、下部短側壁部３０ｂに形成されている係止雌部３３としてのスリットに挿入し貫通して、係止雄部３２の係止突起３２ｂを、下部短側壁部３０ｂの内壁面３０ｂ’に形成された凹部３０ｂ１を構成する垂直面３０ｂ２に係止させる。このようにして、折り畳みコンテナーを組み立てる。なお、係止雄部３２の係止突起３２ｂが、下部短側壁部３０ｂの内壁面３０ｂ’に形成された凹部３０ｂ１を構成する垂直面３０ｂ２に係止された際には、係止突起３２ｂが、下部短側壁部３０ｂの内壁面３０ｂ’を越えて、折り畳みコンテナーの内部に突出しないように構成されている。
【００１６】
上述したようにして組み立てられた折り畳みコンテナーを折り畳むには、上述した組み立て順序と逆の工程により、折り畳むことができる。即ち、上部短側壁部３０ａに形成されている係止雄部３２の係止突起３２ｂを上方に持ち上げるとともに、上部短側壁部３０ａを、ヒンジ部材３０ｃを中心に、下部短側壁部３０ｂから離れる方向に回動させることにより、上部短側壁部３０ａと下部短側壁部３０ｂとの係止状態を解除する。次いで、上部短側壁部３０ａと下部短側壁部３０ｂとを、底部１０と下部短側壁部３０ｂとをヒンジ結合しているヒンジ部材を中心に、底部１０方向に倒して、図３及び図５に示されているように、展開された状態で、短側壁３０を構成する上部短側壁部３０ａと下部短側壁部３０ｂとを、底部１０の上に重ねる。上部短側壁部３０ａと下部短側壁部３０ｂとを、底部１０と下部短側壁部３０ｂとをヒンジ結合しているヒンジ部材を中心に、底部１０方向に回動する過程において、長側壁２０の内壁面２０ａに形成された係合雄部２１の係合片２１ｂは、短側壁３０を構成する下部短側壁部３０ｂに形成された係合雌部３１としてのスリットから抜け出る。その後、長側壁２０を、底部１０と長側壁２０とをヒンジ結合しているヒンジ部材を中心に、底底部１０方向に回動させて、図４に示されているように、底部１０の上に重ねる。このようにして、折り畳みコンテナーを折り畳まれることになる。
【００１７】
上述したように、本発明においては、短側壁３０を、ヒンジ部材３０ｃを介して上部短側壁部３０ａと下部短側壁部３０ｂとに分割するとともに、上部短側壁部３０ａと下部短側壁部３０ｂとが重なった状態ではなく、展開された状態で、底部１０の上に重ねられるように構成されているので、底部１０の上に重ねられた状態の短側壁３０を、従来の短側壁３に比べ薄くすることができ、従って、底部１０の短辺側部１０ｂの底部１０の上面からの高さ１０ｃを低く抑えることができ、ひいては、長辺側部１０ａの高さも低く抑えることができるので、全体として、折り畳まれた状態の折り畳みコンテナーの高さが低くなり、折り畳んだ状態の折り畳みコンテナーの収納効率が向上し、収納スペースが少なくなる。
【００１８】
また、長側壁２０と短側壁３０との係合は、長側壁２０に形成された係合雄部２１の係合片２１ｂを、短側壁３０を構成する下部短側壁部３０ｂに穿設された係合雌部３１としてのスリットに挿入するとともに、長側壁２０に形成された係合雄部２１の垂直片２１ａを、短側壁３０を構成する上部短側壁部３０ａと下部短側壁部３０ｂとにより挟持するように構成したので、組み立てられた状態の長側壁２０と短側壁３０との係合状態が、長側壁２０と短側壁３０とに外力が加わっても、解除されるようなことがない。しかも、長側壁２０に形成された係合雄部２１の係合片２１ｂは、短側壁３０を構成する下部短側壁部３０ｂに穿設された係合雌部３１としてのスリットに挿入されているだけであるので、上述したように、上部短側壁部３０ａを、ヒンジ部材３０ｃを中心に、下部短側壁部３０ｂから離れる方向に回動させるとともに、上部短側壁部３０ａと下部短側壁部３０ｂとを、底部１０と下部短側壁部３０ｂとをヒンジ結合しているヒンジ部材を中心に、底部１０方向に回動する過程において、長側壁２０に形成された係合雄部２１の係合片２１ｂは、何ら他の操作をすることなく、下部短側壁部３０ｂに形成された係合雌部３１としてのスリットから抜け出ることができる。
【００１９】
更に、折り畳みコンテナーが組み立てられた状態においては、上部短側壁部３０ａに形成されている係止雄部３２の係止突起３２ｂが、下部短側壁部３０ｂに形成されている係止雌部３３としてのスリットに挿入し貫通して、係止雄部３２の係止突起３２ｂを、下部短側壁部３０ｂの内壁面３０ｂ’に形成された凹部３０ｂ１を構成する垂直面３０ｂ２に係止させるだけの、上部短側壁部３０ａの係止雄部３２と下部短側壁部３０ｂの係止雌部３３との係止状態であるので、この係止状態の解除作業及び係止作業は、簡単で、且つ、大きな力を必要とすることなく行うことができる。
【００２０】
本発明においては、短側壁３０が、ヒンジ部材３０ｃを介して連結された上部短側壁部３０ａと下部短側壁部３０ｂとの２枚の板状部材により形成されているので、従来の１枚の板状部材で形成された短側壁に比べ強度的に強い。従って、本発明においては、従来の１枚の板状部材で形成された短側壁のように、外壁面や内側面に、縦横に延在する多数の補強リブを形成する必要がないので、組み立てられた状態の折り畳みコンテナーの内壁面を平坦にすることができるとともに、外壁面の多くの部分を平坦に形成することができる。よって、折り畳みコンテナーへのゴミの付着が少なく衛生的であり、また、洗浄性も良好になる。更には、外壁面の多くの部分を平坦に形成することができるので、ラベル等の識別部材の貼付面積やラベル保持部材の取り付け面積が大きくなる。
【００２１】
【発明の効果】
本発明は、以上説明した構成を有しているので、以下に記載する効果を奏するものである。
【００２２】
短側壁を、ヒンジ部材を介して連結された上部短側壁部と下部短側壁部とにより構成したので、折り畳まれた状態の折り畳みコンテナーの高さが低くなり、従って、折り畳んだ状態の折り畳みコンテナーの収納効率が向上し、収納スペースが少なくて済む。
【００２３】
長側壁と短側壁との係合を、長側壁に形成された係合雄部の係合片を、短側壁を構成する下部短側壁部に穿設された係合雌部としてのスリットに挿入するとともに、長側壁に形成された係合雄部の垂直片を、短側壁を構成する上部短側壁部と下部短側壁部とにより挟持することにより行うようにしたので、長側壁と短側壁との係合及びその解除を、簡単に、且つ、短時間に行うことができ、従って、折り畳みコンテナーの組み立て作業及び折り畳み作業の作業性が向上する。
【００２４】
上部短側壁部の係止雄部と下部短側壁部の係止雌部とを係止或いは解除させるのみで、折り畳みコンテナーの組み立て或いは折り畳みを行うようにしたので、折り畳みコンテナーの組み立て或いは折り畳み作業を、簡単に、且つ、大きな力を必要とすることなく行うことができる。
【図面の簡単な説明】
【図１】図１は本発明の折り畳みコンテナーの組み立てられた状態の斜視図である。
【図２】図２は本発明の折り畳みコンテナーの折り畳み途中の斜視図である。
【図３】図３は同じく本発明の折り畳みコンテナーの折り畳み途中の斜視図である。
【図４】図４は本発明の折り畳みコンテナーの折り畳まれた状態の斜視図である。
【図５】図５は本発明の折り畳みコンテナーの折り畳み途中の部分拡大斜視図である。
【図６】図６は同じく本発明の折り畳みコンテナーの折り畳み途中の部分拡大斜視図である。
【図７】図７は本発明の折り畳みコンテナーの組み立てられた状態の部分拡大斜視図である。
【図８】図８は本発明の折り畳みコンテナーの組み立てられた状態の長側壁に沿った部分垂直断面図である。
【図９】図９は従来の折り畳みコンテナーの組み立てられた状態の斜視図である。
【図１０】図１０は従来の折り畳みコンテナーの折り畳み途中の斜視図である。
【図１１】図１１は従来の折り畳みコンテナーの折り畳まれた状態の斜視図である。
【符号の説明】
１０・・・・・・・底部
２０・・・・・・・長側壁
３０・・・・・・・短側壁
３０ａ・・・・・・上部短側壁部
３０ｂ・・・・・・下部短側壁部
【図１】
0003747145.tif 000002
【図２】
0003747145.tif 000003
【図３】
0003747145.tif 000004
【図４】
0003747145.tif 000005
【図５】
0003747145.tif 000006
【図６】
0003747145.tif 000007
【図７】
0003747145.tif 000008
【図８】
0003747145.tif 000009
【図９】
0003747145.tif 000010
【図１０】
0003747145.tif 000011
【図１１】
0003747145.tif 000012